(57)【要約】【課題】ムービングコイルタイプの駆動機構を用いてブレ補正制御を適切に行いながらも、十分な変倍率を確保でき更に小型化が可能なズームレンズ鏡胴及びそれを用いた撮像装置を提供する。【解決手段】フレキシブルプリント基板１１５が、第５ホルダ１１８のコイルＣＬ１，ＣＬ２から、最も物体側の固定レンズＬ８の光軸直交方向外側を通過して、第３ホルダ１０８まで延在しているので、フレキシブルプリント基板１１５の長さを確保でき、それにより撓み反力を小さく抑えることができる。又、固定レンズＬ８，Ｌ９、Ｌ１０を保持する第３ホルダ１０８は、光軸直交方向の位置が固定されているために、その光軸直交方向外側にフレキシブルプリント基板１１５を配置しても干渉する恐れがなく、これにより第３ホルダ１０８の光軸直交方向外側に不要なスペースを設ける必要がなくなり、ズームレンズ鏡胴１００の小径化を図れる。【選択図】図４
2016061877.tif 000002
【特許請求の範囲】
【請求項１】
固定筒を有し、複数のレンズ群のいずれか１群以上を光軸方向に移動させるズームレンズ鏡胴であって、
前記ズームレンズ鏡胴はブレ補正ユニットを有し、
前記ブレ補正ユニットは、前記複数のレンズ群のいずれかの群に含まれる調整レンズ及び固定レンズと、前記調整レンズを保持する可動枠と、前記固定レンズを保持する固定枠と、前記可動枠を前記調整レンズと共に光軸交差方向に駆動する駆動機構とを有し、前記固定レンズと前記調整レンズは光軸方向の相対位置が固定されており、
前記駆動機構は、光軸交差方向に位置を固定された磁石と、前記磁石に対向して前記可動枠に取り付けられたコイルと、前記コイルと前記固定筒とを接続するフレキシブルプリント基板とを有し、
前記フレキシブルプリント基板は、前記固定レンズの光軸直交方向外側を通過することを特徴とするズームレンズ鏡胴。
【請求項２】
前記フレキシブルプリント基板は、前記コイルから光軸方向に沿って延在し、更に前記固定レンズの光軸直交方向外側を部分的に取り巻いていることを特徴とする請求項１に記載のズームレンズ鏡胴。
【請求項３】
前記調整レンズと前記固定レンズとは同じ群に含まれ、変倍時に一体で移動することを特徴とする請求項１又は２に記載のズームレンズ鏡胴。
【請求項４】
前記磁石は、前記固定レンズを保持する固定枠に取り付けられていることを特徴とする請求項３に記載のズームレンズ鏡胴。
【請求項５】
前記固定枠と前記可動枠との間には３つの転動体が転動可能に配置されており、光軸方向に見たときに、前記３つの転動体は７０°〜１１０°の頂角を持つ二等辺三角形のほぼ頂点に配置されており、前記二等辺三角形の等辺に重なる位置に、前記磁石及び前記コイルがそれぞれ配置されていることを特徴とする請求項１〜４のいずれかに記載のズームレンズ鏡筒。
【請求項６】
前記転動体を押圧するように、前記固定枠と前記可動枠とを相対的に付勢する付勢部材が設けられていることを特徴とする請求項５に記載のズームレンズ鏡筒。
【請求項７】
前記コイルと前記磁石は、前記固定枠に対して前記可動枠を光軸に直交する第１の方向に駆動する第１組のコイル及び磁石と、前記固定枠に対して前記可動枠を光軸に直交し且つ前記第１の方向と異なる第２の方向に駆動する第２組のコイル及び磁石を有し、
前記固定枠と前記可動枠のうち片方に保持され、もう片方に係合する第１の保持部材と第２の保持部材とを有し、前記可動枠は、前記第１の保持部材により、光軸に直交する面内で移動可能に保持され、且つ前記第２の保持部材により、所定方向に移動可能に保持され、これにより前記可動枠の移動方向が一意的に決定されるようになっており、
前記可動枠は、前記第１組のコイル及び磁石により駆動されて第１の方向の移動成分を付与され、また前記第２組のコイル及び磁石により駆動されて第２の方向の移動成分を付与されたとき、前記第１の方向の移動成分と前記第２の方向の移動成分とを合成して得られた光軸直交方向移動量（Ｒ）及び前記第２の保持部材を中心とする回転角（θ）で、前記固定枠に対して移動することを特徴とする請求項１〜４のいずれかに記載のズームレンズ鏡筒。
【請求項８】
前記ブレ補正ユニットは，前記固定レンズに対して光軸方向位置が固定された絞りを有し、前記固定レンズは、光軸方向において前記絞りと前記調整レンズとの間に配置されていることを特徴とする請求項１〜７のいずれかに記載のズームレンズ鏡胴。
【請求項９】
前記複数のレンズ群の数は４又は５であり、前記調整レンズは、物体側から数えて３番目のレンズ群に含まれることを特徴とする請求項１〜８のいずれかに記載のズームレンズ鏡胴。
【請求項１０】
前記固定レンズは複数であり、前記フレキシブルプリント基板は、前記可動枠から最も離れた固定レンズの光軸直交方向外側を通過することを特徴とする請求項１〜９のいずれかに記載のズームレンズ鏡胴。
【請求項１１】
請求項１〜１０のいずれかに記載のズームレンズ鏡胴を有することを特徴とする撮像装置。
【発明の詳細な説明】
【技術分野】
【０００１】
本発明は、ズームレンズ鏡胴及び撮像装置に関し、特にブレ補正ユニットを有するズームレンズ鏡胴及びそれを用いた撮像装置に関する。
【背景技術】
【０００２】
従来より、撮像装置であるカメラのズームレンズ鏡胴に設けられたブレ補正ユニットにおいては、角速度センサ等を用いた手ブレ検出回路によりカメラに生じた手ブレを検出し、その検出量に基づき、例えば撮影レンズの一部である調整レンズ或いは撮像素子を保持する可動枠をアクチュエータによりシフトさせて、撮像素子と撮影光学系の光軸とを相対変位させることで画像のブレを抑えることが行われている。
【０００３】
ところで、ブレ補正ユニット用のアクチュエータとしては、磁石とコイルとを用いたボイスコイル式のものが多く用いられている。ここで、ボイスコイル式のアクチュエータとしては、コイルを固定して磁石を可動枠に取り付けたムービングマグネットタイプと、磁石を固定してコイルを可動枠に取り付けたムービングコイルタイプとがある。ムービングマグネットタイプのアクチュエータは、コイルへの配線を可動枠に繋ぐ必要がなく組み付け容易性に優れ、また可動枠の動きが配線により阻害されないという利点があるため、広範に用いられている。
【０００４】
ここで、ズームレンズ鏡胴によっては、光学性能を高めるべくレンズを大径化することも行われているが、大径化されて重くなったレンズに対応し、ブレ補正に遅れが生じないようにアクチュエータの駆動力をより高める必要がある。アクチュエータの駆動力を高める為には、一般的には磁石とコイルの大型化が必要になるが、ムービングマグネットタイプにおいて磁石を大型化すると、それを取り付けた可動枠の合計質量が増大するためブレ補正制御の応答遅れ等が生じる恐れがあり、推力を高めた割にブレ補正の効果が薄いという問題がある。
【０００５】
これに対し、ムービングコイルタイプのアクチュエータでは、コイルを大型化しても質量が顕著に増大しないから、かかる用途には特に有効であるといえる。ここで、コイルへの配線は，一般的にはフレキシブルプリント基板を用いることが多い。フレキシブルプリント基板はブレ補正の際には可動枠の動きに伴い撓むことになるが、フレキシブルプリント基板は薄くてもある程度の靭性を有しているため、撓みに応じて弾性力（撓み反力という）が生じ、これにより可動枠の動きが邪魔される恐れがある。
【０００６】
これに対し特許文献１には、可動枠の外周をフレキシブルプリント基板で取り巻くようにした構成が開示されている。フレキシブルプリント基板の取り巻く径を大きくすることで曲げによる内部応力が減少し、それにより撓み反力も減少するので、可動枠の動きに与える影響を少なく抑えることができる。
【先行技術文献】
【特許文献】
【０００７】
【特許文献１】特許第４９５０４２５号明細書
【特許文献２】特開２００９−１９２８９９号公報
【発明の概要】
【発明が解決しようとする課題】
【０００８】
ところが、特許文献１の構成では、光軸直交方向に移動する可動枠と干渉しないように、ある程度マージンを取った上で、フレキシブルプリント基板を鏡胴内に設置する必要があるため、鏡胴の大径化を招くという問題がある。
【０００９】
一方、特許文献２には、可動枠に対してフレキシブルプリント基板の位置を光軸方向にずらすことにより、光軸直交方向に移動する可動枠との干渉を回避して鏡胴を小径化できる技術が開示されている。しかるに、特許文献２の構成では、可動枠に対してフレキシブルプリント基板を物体側又は像側に配置することになるが、ズームレンズ鏡胴の場合、ズーム移動のため、可動枠に保持されたレンズ群に対して、それに隣接するレンズ群を接近させる場合があり、それによりフレキシブルプリント基板との干渉を招き、可動枠の動きに影響を与える恐れがある。かかる場合、鏡胴の全長を変えることなく、フレキシブルプリント基板との干渉を有効に回避しようとすると、レンズ群の移動量を抑えなくてはならなくなり、それにより変倍率を十分に確保できなくなる。一方、接近するレンズ群との干渉を十分に回避できるようフレキシブルプリント基板が配置される領域の光軸方向の空間に余裕を持たせる設計とすれば、レンズ群の移動量の確保はできるが、鏡胴の全長が長くなり小型化を図れなくなる。これに対し、光軸方向の空間に余裕を持たせる代わりにフレキシブルプリント基板を光軸直交方向外側にシフトして配置して、接近してきたレンズ群がその光軸直交方向内側に入り込むようにすることで、レンズ群の移動量を確保し鏡胴の全長を抑えながらも干渉を回避する対応策も考えられる。しかしながら、かかる対応策を採用した場合、光軸直交方向外側にシフトさせたフレキシブルプリント基板と他部品とが干渉しないよう十分なスペースを確保する必要があり、そのため鏡胴が大幅に肥大化してしまうという問題がある。
【００１０】
本発明は、上述の課題を解決することを目的としたものであり、ムービングコイルタイプの駆動機構を用いてブレ補正制御を適切に行いながらも、十分な変倍率を確保でき更に小型化が可能なズームレンズ鏡胴及びそれを用いた撮像装置を提供することを目的とする。
【課題を解決するための手段】
【００１１】
請求項１に記載のズームレンズ鏡胴は、固定筒を有し、複数のレンズ群のいずれか１群以上を光軸方向に移動させるズームレンズ鏡胴であって、
前記ズームレンズ鏡胴はブレ補正ユニットを有し、
前記ブレ補正ユニットは、前記複数のレンズ群のいずれかの群に含まれる調整レンズ及び固定レンズと、前記調整レンズを保持する可動枠と、前記固定レンズを保持する固定枠と、前記可動枠を前記調整レンズと共に光軸交差方向に駆動する駆動機構とを有し、前記固定レンズと前記調整レンズは光軸方向の相対位置が固定されてなり、
前記駆動機構は、光軸交差方向に位置を固定された磁石と、前記磁石に対向して前記可動枠に取り付けられたコイルと、前記コイルと前記固定筒とを接続するフレキシブルプリント基板とを有し、
前記フレキシブルプリント基板は、前記固定レンズの光軸直交方向外側を通過することを特徴とする。
【００１２】
前記可動枠が光軸直交方向に移動した際における前記フレキシブルプリント基板の撓み反力の影響を小さくするためには、前記コイルから前記固定筒に至る前記フレキシブルプリント基板の長さをなるべく長く確保することが望ましい。本発明によれば、前記フレキシブルプリント基板が、前記可動枠のコイルから、前記固定レンズの光軸直交方向外側を通過して、前記固定筒まで延在しているので、前記フレキシブルプリント基板の長さを確保でき、それにより撓み反力を小さく抑えることができる。また、前記可動枠の周囲に前記フレキシブルプリント基板を配置せずとも長さを確保できるため、前記ズームレンズ鏡胴が光軸直交方向に肥大化してしまうことを抑制できる。さらに、前記固定レンズは、光軸直交方向の位置が固定されているために、その光軸直交方向外側に前記フレキシブルプリント基板を近接配置しても干渉する恐れがなく、これにより前記固定レンズの光軸直交方向外側に不要なスペースを設ける必要がなくなり、ズームレンズ鏡胴の小径化を図れる。加えて、前記調整レンズと前記固定レンズとは光軸方向の相対位置が固定されているので、変倍時においても前記フレキシブルプリント基板との位置関係は不変であり干渉が生じる恐れは少ない。尚、本明細書で、「レンズ」というときは１枚又は複数枚のレンズを意味するものとする。
【００１３】
請求項２に記載のズームレンズ鏡胴は、請求項１に記載の発明において、前記フレキシブルプリント基板は、前記コイルから光軸方向に沿って延在し、更に前記固定レンズの光軸直交方向外側を部分的に取り巻いていることを特徴とする。
【００１４】
これにより、前記フレキシブルプリント基板の長さを更に長く出来、前記可動枠が移動した際に前記フレキシブルプリント基板に与える撓み反力の影響をより小さく抑えることができる。また、前記フレキシブルプリント基板を長く延在させるべく、前記固定レンズの光軸直交方向外側の空間を用いているため、前記可動枠の光軸直交方向外側を取り巻く場合と比して、径方向（光軸直交方向）の小型化を図ることができる。
【００１５】
請求項３に記載のズームレンズ鏡胴は、請求項１又は２に記載の発明において、前記調整レンズと前記固定レンズとは同じ群に含まれ、変倍時に一体で移動することを特徴とする。
【００１６】
前記調整レンズと前記固定レンズとが、変倍時に一体で移動する構成とすることにより、変倍の自由度の更なる確保と、前記フレキシブルプリント基板が他の部材と干渉しないことによる小型化とを両立することができる。なお、前記調整レンズと前記固定レンズとが、変倍時に一体で移動する場合に、特に本発明は有効であるが、前記調整レンズと前記固定レンズとが、固定されたレンズ群に含まれていた場合でも、本発明は有効である。
【００１７】
請求項４に記載のズームレンズ鏡胴は、請求項３に記載の発明において、前記磁石は、前記固定レンズを保持する固定枠に取り付けられていることを特徴とする。
【００１８】
前記磁石が、前記固定レンズを保持する固定枠に取り付けられているので、前記フレキシブルプリント基板を介して前記コイルに通電することで、前記固定枠に対して前記可動枠を前記調整レンズと共に、光軸交差方向へと移動させることができる。尚、前記磁石は、前記固定筒に対して取り付けられていても良い。
【００１９】
請求項５に記載のズームレンズ鏡胴は、請求項１〜４のいずれかに記載の発明において、前記固定枠と前記可動枠との間には３つの転動体が転動可能に配置されており、光軸方向に見たときに、前記３つの転動体は７０°〜１１０°の頂角を持つ二等辺三角形のほぼ頂点に配置されており、前記二等辺三角形の等辺に重なる位置に、前記磁石及び前記コイルがそれぞれ配置されていることを特徴とする。
【００２０】
前記固定枠と前記可動枠との間に３つの転動体を転動可能に配置することで、前記固定枠に対して前記可動枠をスムーズに安定して移動させることができる。又、光軸方向に見たときに、前記３つの転動体は７０°〜１１０°の頂角を持つ二等辺三角形のほぼ頂点に配置されており、前記二等辺三角形の等辺に重なる位置に、前記磁石及び前記コイルがそれぞれ配置されているので、前記調整レンズを挟んで、この二等辺三角形の頂角と反対側における前記固定枠及び前記可動枠の部分をカットすることが出来、これにより空いたスペースにガイド軸等の部品を配置でき、ズームレンズ鏡胴をより小型化できる。
【００２１】
請求項６に記載のズームレンズ鏡胴は、請求項５に記載の発明において、前記転動体を押圧するように、前記固定枠と前記可動枠とを相対的に付勢する付勢部材が設けられていることを特徴とする。
【００２２】
前記付勢部材の付勢力により、前記固定枠と前記可動枠とで前記転動体を常時押圧できるので、前記固定枠に対して前記可動枠をガタなく円滑に移動することができ、特に、前記固定枠と前記可動枠とが一体で光軸方向に移動する際に有効である。なお、前記転動体は前記付勢部材等に干渉することなく出来るだけ前記二等辺三角形の頂点に近い位置にあることが好ましく、例えば頂点位置から５ｍｍ以内にあることが好ましい。
【００２３】
請求項７に記載のズームレンズ鏡胴は、請求項１〜４のいずれかに記載の発明において、前記コイルと前記磁石は、前記固定枠に対して前記可動枠を光軸に直交する第１の方向に駆動する第１組のコイル及び磁石と、前記固定枠に対して前記可動枠を光軸に直交し且つ前記第１の方向と異なる第２の方向に駆動する第２組のコイル及び磁石を有し、
前記固定枠と前記可動枠のうち片方に保持され、もう片方に係合する第１の保持部材と第２の保持部材とを有し、前記可動枠は、前記第１の保持部材により、光軸に直交する面内で移動可能に保持され、且つ前記第２の保持部材により、所定方向に移動可能に保持され、これにより前記可動枠の移動方向が一意的に決定されるようになっており、
前記可動枠は、前記第１組のコイル及び磁石により駆動されて第１の方向の移動成分を付与され、また前記第２組のコイル及び磁石により駆動されて第２の方向の移動成分を付与されたとき、前記第１の方向の移動成分と前記第２の方向の移動成分とを合成して得られた光軸直交方向移動量（Ｒ）及び前記第２の保持部材を中心とする回転角（θ）で、前記固定枠に対して移動することを特徴とする。
【００２４】
前記可動枠は、前記第１組のコイル及び磁石により駆動されて第１の方向の移動成分を付与され、また前記第２組のコイル及び磁石により駆動されて第２の方向の移動成分を付与されたとき、前記第１の方向の移動成分と前記第２の方向の移動成分とを合成して得られた光軸直交方向移動量（Ｒ）及び前記第２の保持部材を中心とする回転角（θ）で、前記固定枠に対して移動するので、付与された前記第１の方向の移動成分と前記第２の方向の移動成分に対して、光軸直交方向移動量（Ｒ）及び前記第２の保持部材を中心とする回転角（θ）が一意に決まるため、前記可動枠が駆動時に無用なモーメントを付与されたとしても，これに抗して高精度な駆動制御が可能になる。尚、光軸直交方向移動量（Ｒ）とは、光軸方向の基準位置（例えば光軸）からの距離をいい、回転角（θ）とは、第２の保持部材を中心とする基準方向（例えば光軸に対する鉛直方向）からの回転角をいうものとする。又、前記固定枠と前記可動枠のうち一方のみに、前記第１の保持部材と前記第２の保持部材の双方が保持されていても良いし、前記固定枠に前記第１の保持部材又は前記保持部材が保持され、前記可動枠に前記第２の保持部材又は前記第１の保持部材が保持されていても良い。
【００２５】
請求項８に記載のズームレンズ鏡胴は、請求項１〜７のいずれかに記載の発明において、前記ブレ補正ユニットは，前記固定レンズに対して光軸方向位置が固定された絞りを有し、前記固定レンズは、光軸方向において前記絞りと前記調整レンズとの間に配置されていることを特徴とする。
【００２６】
前記絞りが前記固定レンズに対して光軸方向位置が固定されていれば、変倍時に前記固定レンズに光軸方向いずれの側からも接近する部材がなく、これにより前記フレキシブルプリント基板との干渉をより確実に回避できる。尚、前記絞りは、前記固定レンズの物体側及び像側のいずれに配置されていても良い。
【００２７】
請求項９に記載のズームレンズ鏡胴は、請求項１〜８のいずれかに記載の発明において、前記複数のレンズ群の数は４又は５であり、前記調整レンズは、物体側から数えて３番目のレンズ群に含まれることを特徴とする。
【００２８】
物体側から数えて３番目のレンズ群に前記調整レンズを含めた場合、前記調整レンズは光軸方向において略中央に配置されていることとなり、これにより前記調整レンズを通過する光束径が小さくなるために、ブレ補正に必要な前記調整レンズの移動量を小さく抑えることができるので好ましい。また、通過する光束径が縮小するから前記固定レンズの径も小さく抑えることができるため、前記固定レンズの光軸直交方向外側（外周側）に前記フレキシブルプリント基板を取り付けたとしても前記ズームレンズ鏡胴の大径化を確実に抑えることができる。
【００２９】
請求項１０に記載のズームレンズ鏡胴は、請求項１〜９のいずれかに記載の発明において、前記固定レンズは複数であり、前記フレキシブルプリント基板は、前記可動枠から最も離れた固定レンズの光軸直交方向外側を通過することを特徴とする。
【００３０】
これにより前記フレキシブルプリント基板の長さを更に長く出来る。
【００３１】
請求項１１に記載の撮像装置は、請求項１〜１０のいずれかに記載のズームレンズ鏡胴を有することを特徴とする。
【発明の効果】
【００３２】
本発明によれば、ムービングコイルタイプの駆動機構を用いてブレ補正制御を適切に行いながらも、十分な変倍率を確保でき更に小型化が可能なズームレンズ鏡胴及びそれを用いた撮像装置を提供することができる。
【図面の簡単な説明】
【００３３】
【図１】本実施の形態に係るズームレンズ鏡胴を備えた撮像装置の一例であるデジタルカメラの外観図である。
【図２】第１の実施の形態にかかるズームレンズ鏡胴１００の光軸方向断面図である。
【図３】別な方向から見たズームレンズ鏡胴１００の一部の光軸方向断面図である。
【図４】更に別な方向から見たズームレンズ鏡胴１００の一部の光軸方向断面図である。
【図５】図４の構成をV-V線で切断して矢印方向に見た図である。
【図６】フレキシブルプリント基板の取り回し状態を示す斜視図である。
【図７】更に別な方向から見たズームレンズ鏡胴１００の一部の光軸方向断面図である。
【図８】図７の構成をVIII-VIII線で切断して矢印方向に見た図である。
【図９】第２の実施の形態にかかるズームレンズ鏡胴１００’の一部を示す図３と同様な光軸方向断面図である。
【図１０】図９の構成をX-X線で切断して矢印方向に見た図である。
【図１１】本実施の形態で用いる第５ホルダ１１８の斜視図である。
【発明を実施するための形態】
【００３４】
以下、本発明の実施の形態を、図面を参照して説明する。図１は、本実施の形態に係るズームレンズ鏡胴を備えた撮像装置の一例であるデジタルカメラの外観図である。図１（ａ）は、デジタルカメラ１の前面図であり、図１（ｂ）は背面図である。
【００３５】
図１に示す様に、デジタルカメラ１は、ズームレンズ鏡胴と撮像素子を有する撮像部２、及び、カメラ本体部３よりなる。
【００３６】
撮像部２は、ズーム動作可能なズームレンズ鏡胴及びＣＣＤ等の固体撮像素子からなり、ズームレンズ鏡胴を介して結像された被写体像を固体撮像素子で画像信号に変換できる。
【００３７】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００３８】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００３９】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００４０】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカード１３に記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズである撮像光学系をテレ方向若しくはワイド方向に変倍させる。
【００４１】
さらに、カメラ本体部３の背面には、画像表示を行うためのＬＣＤ表示部６とＥＶＦ７とを選択するＥＶＦ切換スイッチ８が設けられている。
【００４２】
また、カメラ本体部３の底面内部には、デジタルカメラ１の動作用電源としての電池（図示せず）が設けられている。
【００４３】
図２は、第１の実施の形態にかかるズームレンズ鏡胴１００の光軸方向断面図である。本実施の形態にかかるズームレンズ鏡胴１００を、５群構成のズームレンズを例にして説明する。ズームレンズ鏡胴１００は、物体側から順に，レンズＬ１，Ｌ２，Ｌ３からなる第１レンズ群Ｇ１と、レンズＬ４，Ｌ５，Ｌ６，Ｌ７からなる第２レンズ群Ｇ２と、可変絞り羽根ＢＲを有するシャッタ装置ＳＨ、固定レンズＬ８，Ｌ９，Ｌ１０及び調整レンズＬ１１，Ｌ１２からなる第３レンズ群Ｇ３と、レンズＬ１３からなる第４レンズ群Ｇ４と、レンズＬ１４からなる第５レンズ群Ｇ５とから構成されている。本実施の形態では、第５レンズ群Ｇ５が固定されており、第１レンズ群Ｇ１、第２レンズ群Ｇ２、第３レンズ群Ｇ３、第４レンズ群Ｇ４は、互いの群間距離を変化させながら光軸ＯＡの方向に移動してズーミングを行うようになっている。また、第４レンズ群Ｇ４は独立して光軸ＯＡの方向に移動してフォーカシングも行うようになっている。第３レンズ群Ｇ３の一部となるシャッタ装置ＳＨは、可変絞り羽根ＢＲを駆動することで、任意の開口径の絞りを形成できるようになっている。
【００４４】
図２を参照して、ズームレンズ鏡胴１００の構成を説明する。カメラ本体部３に固定される地板１０１は、中央に円筒部１０１ａを形成しており、その内周に第５レンズ群Ｇ５を保持している。レンズ群Ｇ１〜Ｇ５を通過し、円筒部１０１ａ内を通過した被写体光は、カメラ本体部３に取り付けられた固体撮像素子の撮像面に結像されるようになっている。
【００４５】
地板１０１の物体側に、固定筒１０２の端部が同軸に固定されている。固定筒１０２の周囲には、回転可能にカム筒１０３が取り付けられており、物体側端部近傍に形成された円周溝１０３ａに、それに対応して固定筒１０２に形成された突起１０２ａが係合しており、これによりカム筒１０３は固定筒１０２に対して光軸方向移動が規制され、回転のみ可能となっている。カム筒１０３の像側端外周には、ギヤ１０３ｂが形成されており、不図示のモータのピニオンが噛合している。
【００４６】
固定筒１０２の物体側端外周には、ピン１０２ｂが径方向外方に突出するように形成されている。一方、カム筒１０３の周囲に配置された直進筒１０４の内周には，光軸ＯＡ方向に延在するように直進溝１０４ａが形成されており、ここに固定筒１０２のピン１０２ｂが係合している。よって、直進筒１０４は、固定筒１０２により回転を規制され、光軸方向にのみ移動可能となっている。直進筒１０４の物体側端部近傍には、第１レンズ群Ｇ１を保持する第１ホルダ１０５がねじＢＴにより固定されている。直進筒１０４の物体側端部には、ドーナッツ板状の遮光板１０６が固定されている。
【００４７】
カム筒１０３の外周には、第１カム溝１０３ｃが形成されており、ここに直進筒１０４の像側端近傍内周に設けられた第１カムフォロワ１０４ｂが係合している。又、カム筒１０３の内周には、第２カム溝１０３ｄが形成されており、ここに、第２レンズ群Ｇ２を保持する第２ホルダ１０７の外周より突出して設けた第２カムフォロワ１０７ａが係合している。第２カムフォロワ１０７ａは、その内方端が第２ホルダ１０７に形成された孔１０７ｂ内に挿入されており、孔１０７ｂ内に配置されたバネ部材１０７ｃにより径方向外側に押し出されるように付勢されている。更に、カム筒１０３の内周には、第３カム溝１０３ｅが形成されており、ここに、第３レンズ群Ｇ３の固定レンズＬ８，Ｌ９，Ｌ１０を保持する第３ホルダ１０８の外周に設けた第３カムフォロワ１０８ａが係合している。第４レンズ群Ｇ４は、第４ホルダ１０９により保持されている。尚、第２ホルダ１０７，第３ホルダ１０８，第４ホルダ１０９は、図２では不図示のガイドシャフト（後述）により回転を規制されて，光軸方向に案内されて移動可能となっている。
【００４８】
第３カムフォロワ１０８ａは、その内方端が第３ホルダ１０８に形成した孔１０８ｂ内に挿入されており、孔１０８ｂ内に配置されたバネ部材１０８ｈにより、第３カムフォロワ１０８ａが径方向外側に押し出されるように付勢されている。第３カムフォロワ１０８ａは、固定筒１０２の周壁に形成された光軸方向に長いスリット１０２ｃを通過して第３カム溝１０３ｅに係合している。
【００４９】
不図示のモータを駆動させることで、カム筒１０３が回転すると、第１カム溝１０３ｃに沿って第１カムフォロワ１０４ｂが摺動し、その際に受ける押圧力により直進筒１０４は光軸方向に移動するようになっている。又、カム筒１０３が回転すると、第２カム溝１０３ｄに沿って第２カムフォロワ１０７ａが摺動し、その際に受ける押圧力により第２ホルダ１０７が光軸方向に移動するようになっている。更に、カム筒１０３が回転すると、第３カム溝１０３ｅに沿って第３カムフォロワ１０８ａが摺動し、その際に受ける押圧力により第３ホルダ１０８が光軸方向に移動するようになっている。シャッタ装置ＳＨと、調整レンズＬ１１，Ｌ１２を保持する第５ホルダ１１８は、第３ホルダ１０８に連結されているので、これらは一体的に光軸方向に移動する。
【００５０】
図３は、別な方向から見たズームレンズ鏡胴１００の一部の光軸方向断面図である。図３において、取り付け部材１１０を介して固定筒１０２に取り付けられたモータ１１１の回転軸には、ねじ軸１１２が連結されている。ねじ軸１１２の他端は、取り付け部材１１０に設けられた軸受１１３により回転可能に支持されている。ねじ軸１１２には、ナット部材１１４が螺合している。ナット部材１１４は、第４レンズ群Ｇ４を保持する第４ホルダ１０９に連結されている。モータ１１１に給電することで、ねじ軸１１２が回転し、その回転角度に応じてナット部材１１４が光軸方向に移動するので、それと共に第４ホルダ１０９が第４レンズ群Ｇ４と共に光軸方向に移動して、ズーム移動又はフォーカシングを行うようになっている。
【００５１】
図４は、更に別な方向から見たズームレンズ鏡胴１００の一部の光軸方向断面図である。図５は、図４の構成をV-V線で切断して矢印方向に見た図である。図６は、フレキシブルプリント基板の取り回し状態を示す斜視図である。
【００５２】
固定枠としての第３ホルダ１０８は、固定レンズＬ８，Ｌ９，Ｌ１０を保持する小円筒部１０８ｄと、小円筒部１０８ｄを囲うようにして同軸に配置された大円筒部１０８ｅと、小円筒部１０８ｄと大円筒部１０８ｅとを径方向に連結するフランジ部１０８ｆとから一体的に形成されている。フランジ部１０８ｆの像側面（第５ホルダ１１８に対向する面）には、磁石ＭＧ１、ＭＧ２（図５参照）が固定配置されている。
【００５３】
図５において、可動枠としての第５ホルダ１１８の物体側面（第３ホルダ１０８に対向する面）には、磁石ＭＧ１、ＭＧ２にそれぞれ対向するようにしてコイルＣＬ１，ＣＬ２が設けられている。コイルＣＬ１，ＣＬ２の中央には、それぞれホール素子ＨＥ１，ＨＥ２が配置されている。コイルＣＬ１，ＣＬ２及びホール素子ＨＥ１，ＨＥ２は、フレキシブルプリント基板１１５の配線部に接続されている。磁石ＭＧ１，ＭＧ２，コイルＣＬ１，ＣＬ２，フレキシブルプリント基板１１５により駆動機構を構成する。又、かかる駆動機構と、固定レンズＬ８，Ｌ９，Ｌ１０と、これらを保持する第３ホルダ１０８と、調整レンズＬ１１，Ｌ１２と、これらを保持する第５ホルダ１１８とでブレ補正ユニットを構成する。
【００５４】
尚、図５中、ＭＧＳ２は、第２ホルダ１０７に摺動可能に嵌合して案内するメインガイドシャフトであり、ＳＧＳ２は、メインガイドシャフトＭＧＳ２に対して光軸ＯＡを挟んで反対側に配置され、第２ホルダ１０７に摺動可能に嵌合して案内するサブガイドシャフトである。又、ＭＧＳ３は、第３ホルダ１０８に摺動可能に嵌合して案内するメインガイドシャフトであり、ＭＧＳ４は、第４ホルダ１０９に摺動可能に嵌合して案内するメインガイドシャフトであり、ＳＧＳ３は、メインガイドシャフトＭＧＳ３，ＭＧＳ４に対して光軸ＯＡを挟んで反対側に配置され、第３ホルダ１０８と第４ホルダ１０９に摺動可能に嵌合して共通に案内するサブガイドシャフトである。
【００５５】
図６に示すように、フレキシブルプリント基板１１５は、３次元に折り曲げられた形状を有し、第５ホルダ１１８の物体側面に設置されて周辺に向かう第１面部１１５ａと、第１面部１１５ａに対して略直角に折れ曲がり、図６に示すように光軸方向に沿って物体側に向かう第２面部１１５ｂと、第２面部１１５ｂに対して最も物体側の固定レンズＬ８の光軸直交方向外側で略直角に立ち上がり、第３ホルダ１０８の小円筒部１０８ｄの外周に沿って隙間を空けて概ね１２０°延在する第３面部１１５ｃと、第３面部１１５ｃの側面から略直角に折れ曲がりフランジ部１０８ｆの物体側面に沿って径方向外側に向かう第４面部１１５ｄと、第４面部１１５ｄに対して略直角に折れ曲がり、光軸方向に沿って像側に向かう第５面部１１５ｅと、第５面部１１５ｅに対してＵターンして光軸方向に沿って物体側に向かう第６面部１１５ｆとから形成されている。第６面部１１５ｆは、図４に示すように、固定筒１０２の内周に形成されカメラ本体部３より給電を受けると共にホール素子ＨＥの信号を伝達可能な配線部１０２ｄに接続されている。フレキシブルプリント基板１１５の第４面部１１５ｄはフランジ部１０８ｆに固定されているので、第３ホルダ１０３に対して第５ホルダ１１８が光軸直交方向に移動したとき、第３面部１１５ｃから第１面部１１５ａの間で撓みを吸収できる。尚、シャッタ装置ＳＨへの給電も、フレキシブルプリント基板１１５を介して行っても良い。
【００５６】
図７は、図５のVII-VII線で切断して矢印で示す方向から見たズームレンズ鏡胴１００の一部の光軸方向断面図である。図８は、図７の構成をVIII-VIII線で切断して矢印方向に見た図である。図７，８において、第３ホルダ１０８の像側面には、磁石ＭＧ１，ＭＧ２を挟むようにして円形凹部１０８ｇが３カ所形成されており、その内部には転動体であるボールＢＬがそれぞれ転動可能に配置されている。また、ボールは球形であることが好ましく、材料としては磁石に吸着されないセラミックやＳＵＳが好ましい。
【００５７】
図７に示すように組み付けた状態では、ボールＢＬは、第５ホルダ１１８の物体側面に当接するようになっている。第３ホルダ１０８の外周から突き出した３本のアーム１０８ｃと、第５ホルダ１１８の外周から突き出した３本のアーム１１８ａとに、付勢部材であるコイルスプリングＣＳの両端が取り付けられており、コイルスプリングＣＳの付勢力により、第３ホルダ１０８と第５ホルダ１１８とは互いに近接した方向に付勢されている。
【００５８】
このように、コイルスプリングＣＳによって互いに付勢された第３ホルダ１０８と第５ホルダ１１８との間に３つのボールＢＬを転動可能に配置することで、第３ホルダ１０８に対して第５ホルダ１１８を、光軸方向相対位置を固定したまま、光軸直交方向にスムーズに安定して移動させることができる。又、光軸方向に見たときに、３つのボールＢＬは直角二等辺三角形（但し頂角は９０°に限らず７０°〜１１０°の範囲であれば良い）のほぼ頂点に配置されており、その直角二等辺三角形の等辺に重なる位置に、磁石ＭＧ１，ＭＧ２及びコイルＣＬ１，ＣＬ２（図５）がそれぞれ配置されているので、光軸ＯＡを挟んで、この直角二等辺三角形の頂角と反対側における第３ホルダ１０３及び第５ホルダ１１８の一部をカットすることが出来、これにより空いたスペースに、メインガイドシャフトＭＧＳ３，ＭＧＳ４、モータ１１１、第３カムフォロワ１０８等の部品を配置でき、ズームレンズ鏡胴１００をより小型化できる。
【００５９】
本実施の形態にかかるブレ補正ユニットの動作を、図５を参照して説明する。不図示の加速度センサにより、デジタルカメラ１がＸ方向に振れたと判断されると、フレキシブルプリント基板１１５を介してコイルＣＬ１に通電が行われ、それにより磁石ＭＧ１により形成される磁界内にローレンツ力が発生し、これにより第３ホルダ１０８に対して第５ホルダ１１８がＸ方向に移動することで、調整レンズＬ１１，Ｌ１２がＸ方向に移動して像振れを補正する。調整レンズＬ１１，Ｌ１２のＸ方向移動量は、ホール素子ＨＥ１により検出される。
【００６０】
同様に、不図示の加速度センサにより、デジタルカメラ１がＹ方向に振れたと判断されると、コイルＣＬ２に通電が行われ、それにより磁石ＭＧ２により形成される磁界内にローレンツ力が発生し、これにより第３ホルダ１０８に対して第５ホルダ１１８がＹ方向に移動することで、調整レンズＬ１１，Ｌ１２がＹ方向に移動して像振れを補正する。調整レンズＬ１１，Ｌ１２のＹ方向移動量は、ホール素子ＨＥ２により検出される。
【００６１】
本実施の形態によれば、フレキシブルプリント基板１１５が、第５ホルダ１１８のコイルＣＬ１，ＣＬ２から、最も物体側の固定レンズＬ８の光軸直交方向外側を通過して、第３ホルダ１０８まで延在しているので、フレキシブルプリント基板１１５の長さを確保でき、それにより撓み反力を小さく抑えることができる。又、固定レンズＬ８，Ｌ９、Ｌ１０を保持する第３ホルダ１０８は、光軸直交方向の位置が固定されているために、その光軸直交方向外側にフレキシブルプリント基板１１５を近接配置しても干渉する恐れがなく、これにより第３ホルダ１０８の光軸直交方向外側に不要なスペースを設ける必要がなくなり、ズームレンズ鏡胴１００の小径化を図れる。更に、第３レンズ群Ｇ３に含まれる調整レンズＬ１１，Ｌ１２と固定レンズＬ８，Ｌ９、Ｌ１０とは一体で移動し、すなわち光軸方向位置が固定されているので、変倍時においてもフレキシブルプリント基板１１５との位置関係は不変であり干渉が生じる恐れは少ない。
【００６２】
更に、固定レンズＬ８，Ｌ９，Ｌ１０は、光軸方向位置が固定されたシャッタ装置ＳＨと調整レンズＬ１１，Ｌ１２との間に配置されているので、例えば変倍時に図４に示すように、第２レンズ群Ｇ２が接近してきた場合でも、シャッタ装置ＳＨが間に介在することで、フレキシブルプリント基板１１５と干渉する恐れがない。
【００６３】
図９は、第２の実施の形態にかかるズームレンズ鏡胴１００’の一部を示す図３と同様な光軸方向断面図である。図１０は、図９の構成をX-X線で切断して矢印方向に見た図である。図１１は、本実施の形態で用いる第５ホルダ１１８の斜視図であるが、一部を省略して示している。上述した実施の形態に対して共通する構成には同じ符号を付して説明を省略する。ここで、ガイド軸１２０，１２１が請求項にいう第１の保持部材を構成し、ピン１２２が請求項にいう第２の保持部材を構成するものとする。
【００６４】
固定枠である第３ホルダ１０８は、その外周において３カ所光軸方向に突出して形成した保持部１０８ｉ、１０８ｊ、１０８ｋ（図１１では一点鎖線で図示）を有する。保持部１０８ｉ、１０８ｊは平行に離間した板状であって、それぞれ円筒状の長いガイド軸１２０の両端近傍を保持している。
【００６５】
一方、保持部１０８ｉ、１０８ｊから離れた位置に配置された保持部１０８ｋは、円筒状の短いガイド軸１２１を片持ち状に保持している。長いガイド軸１２０の軸線と短いガイド軸１２１の軸線とで形成される面は、光軸に直交している。又、保持部１０８は、短いガイド軸１２１の近傍において、光軸に平行に延在する円筒状のピン１２２を植設している。
【００６６】
可動枠である第５ホルダ１１８は、長いガイド軸１２０が光軸方向にガタなく係合するスリット１１８ｂと、短いガイド軸１２１が光軸方向にガタなく係合するスリット１１８ｃとを有する。ガイド軸１２０に対して、それを収容したスリット１１８ｂが光軸に直交する面内で相対移動可能である。
【００６７】
また第５ホルダ１１８は、円筒状のピン１２２がガタなく係合するスリット１１８ｄを外周に形成している。スリット１１８ｄの中心線は、光軸と交差するようになっている。ここで、スリット１１８の中心線の延在する方向(所定方向)を光軸直交方向Ｒとし、ピン１２２の軸線ＡＸと光軸とを結んだ基準線（Ｘ方向線）に対して軸線ＡＸ回りの角度を回転角θとする。
【００６８】
図１０に示すように、第５ホルダ１１８の物体側面（第３ホルダ１０８に対向する面）には、コイルＣＬ１，ＣＬ２が設けられており、更にコイルＣＬ１，ＣＬ２に隣接して、それぞれホール素子ＨＥ１，ＨＥ２が配置されている。コイルＣＬ１，ＣＬ２及びホール素子ＨＥ１，ＨＥ２は、フレキシブルプリント基板１１５の配線部（１１５ａ）に接続されている。一方、第３ホルダ１０８の像側面（第５ホルダ１１８に対向する面）には、コイルＣＬ１，ＣＬ２及びホール素子ＨＥ１，ＨＥ２に対向するようにして、磁石ＭＧ１，ＭＧ２（図１０で一点鎖線で示す）が配置されている。磁石ＭＧ１，コイルＣＬ１が第１組を構成し、磁石ＭＧ２，コイルＣＬ２が第２組を構成する。磁石ＭＧ１，ＭＧ２，コイルＣＬ１，ＣＬ２，フレキシブルプリント基板１１５により駆動機構を構成する。又、かかる駆動機構と、固定レンズＬ８，Ｌ９，Ｌ１０と、これらを保持する第３ホルダ１０８と、調整レンズＬ１１，Ｌ１２と、これらを保持する第５ホルダ１１８とでブレ補正ユニットを構成する。
【００６９】
本実施の形態の像振れ制御動作を説明する。初期状態でコイルＣＬ１，ＣＬ２に給電することにより、調整レンズＬ１１，Ｌ１２はズームレンズ鏡筒１００’の光軸に対してセンタリングするようになっている。ここで不図示の加速度センサにより、デジタルカメラ１が或る方向に或る量だけ振れたことが検出されたものとする。デジタルカメラ１の制御部（不図示）は、これを分析して、像振れ補正を行うために必要な第５ホルダ１１８のＸ方向移動量ｘとＹ方向移動量ｙとを求める。更に、制御部は、フレキシブルプリント基板１１５を介してコイルＣＬ１に通電し、それにより磁石ＭＧ１により形成される磁界内にローレンツ力を発生させ、第３ホルダ１０８に対して第５ホルダ１１８をＹ方向移動量ｙだけ移動させ、同時にフレキシブルプリント基板１１５を介してコイルＣＬ２に通電し、それにより磁石ＭＧ２により形成される磁界内にローレンツ力を発生させ、第３ホルダ１０８に対して第５ホルダ１１８をＸ方向移動量ｘだけ移動させる。
【００７０】
しかるに、第３ホルダ１０８に対して第５ホルダ１１８は、求められたＸ方向移動量ｘとＹ方向移動量ｙとで合成された方向（ｔａｎ-1（ｘ／ｙ））及び量（√（ｘ2＋ｙ2））だけ相対移動することになるが、これは光軸直交方向移動量（Ｒ）と回転角（θ）に一意に対応する。つまり、第５ホルダ１１８を、求められたＸ方向移動量（成分）とＹ方向移動量（成分）に対応して一意に決まる光軸直交方向移動量（Ｒ）で光軸方向に移動させ、且つ一意に決まる回転角（θ）で回転させることにより、第５ホルダ１１８に搭載された調整レンズＬ１１，Ｌ１２を、像振れ補正が可能な位置へと移動させることができる。調整レンズＬ１１，Ｌ１２のＹ方向の位置は、ホール素子ＨＥ１により検出され、Ｘ方向の位置はホール素子ＨＥ２により検出される。
【００７１】
本実施の形態によれば、第５ホルダ１１８は、ガイド軸１２０，１２１により光軸直交方向に移動可能に支持されており、またピン１２２により光軸方向にのみ移動可能に支持されているので、第５ホルダ１１８が光軸直交方向移動量（Ｒ）で移動し、また回転角（θ）で回転することを妨げることがない。更に図７，８に示す実施の形態では、駆動時に第５ホルダ１１８に光軸回りのモーメントが付与されると不用意に回転してしまう恐れがあるが、本実施の形態では、Ｘ方向移動成分とＹ方向移動成分とで光軸直交方向（Ｒ）と回転角（θ）とが一意に定まるので、光軸回りのモーメントの影響を抑えつつ、高精度な駆動制御が可能になる。
【００７２】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。例えば、第３レンズ群Ｇ３は変倍時に光軸方向に固定されていても良い。また、上述の実施の形態においては、５群構成のズームレンズで説明したが、５群構成に限るものでなく、例えば４群構成であっても良い。
【符号の説明】
【００７３】
１            デジタルカメラ
２            撮像部
３            カメラ本体部
４            フラッシュ発光部
５            シャッタボタン
６            表示部
７            ＥＶＦ
８            切換スイッチ
９            ズームスイッチ
１３            メモリカード
１００            ズームレンズ鏡胴
１０１            地板
１０１ａ          円筒部
１０２            固定筒
１０２ａ          突起
１０２ｂ          ピン
１０２ｃ          スリット
１０２ｄ          配線部
１０３            カム筒
１０３ａ          円周溝
１０３ｂ          ギヤ
１０３ｃ          第１カム溝
１０３ｄ          第２カム溝
１０３ｅ          第３カム溝
１０４            直進筒
１０４ａ          直進溝
１０４ｂ          第１カムフォロワ
１０５            第１ホルダ
１０６            遮光板
１０７            第２ホルダ
１０７ａ          第２カムフォロワ
１０７ｂ          孔
１０７ｃ          バネ部材
１０８            第３ホルダ
１０８            第３カムフォロワ
１０８ｂ          孔
１０８ｃ          アーム
１０８ｄ          小円筒部
１０８ｅ          大円筒部
１０８ｆ          フランジ部
１０８ｇ          円形凹部
１０８ｈ          バネ部材
１０８ｉ、１０８ｊ、１０８ｋ              保持部
１０９            第４ホルダ
１１０            取り付け部材
１１１            モータ
１１２            ねじ軸
１１３            軸受
１１４            ナット部材
１１５            フレキシブルプリント基板
１１５ａ          第１面部
１１５ｂ          第２面部
１１５ｃ          第３面部
１１５ｄ          第４面部
１１５ｅ          第５面部
１１５ｆ          第６面部
１１８            第５ホルダ
１１８ａ          アーム
１１８ｂ、１１８ｃ、１１８ｄ              スリット
１２０            長いガイド軸
１２１            短いガイド軸
１２２            ピン
ＢＬ            ボール
ＢＲ            絞り羽根
ＣＬ１，ＣＬ２        コイル
ＣＳ            コイルスプリング
Ｇ１-Ｇ５        レンズ群
ＨＥ１，ＨＥ２        ホール素子
Ｌ１−Ｌ１４        レンズ
Ｌ８，Ｌ９，Ｌ１０    固定レンズ
Ｌ１１，Ｌ１２        調整レンズ
ＭＧ１，ＭＧ２        磁石
ＭＧＳ３，ＭＧＳ４    メインガイドシャフト
ＯＡ            光軸
ＳＨ            シャッタ装置
【図１】
2016061877.tif 000003
【図２】
2016061877.tif 000004
【図３】
2016061877.tif 000005
【図４】
2016061877.tif 000006
【図５】
2016061877.tif 000007
【図６】
2016061877.tif 000008
【図７】
2016061877.tif 000009
【図８】
2016061877.tif 000010
【図９】
2016061877.tif 000011
【図１０】
2016061877.tif 000012
【図１１】
2016061877.tif 000013